(57)【要約】【課題】使用者へ貯湯タンク内の湯を使用していることを認識させ、貯湯タンクから不必要な湯の出湯が低減可能な貯湯式給湯機を提供すること。【解決手段】本発明の貯湯式給湯機は、湯水を貯える貯湯タンク３と、貯湯タンク３内の湯水を加熱する加熱手段１と、機器の運転状態を表示する表示部および操作部を有するリモコン装置３０とを備え、リモコン装置３０に貯湯タンク３からの出湯を許可する給湯入切操作部３３を設けるものである。【選択図】図２
2010101549.tif 000002
【特許請求の範囲】
【請求項１】
湯水を貯える貯湯タンクと、前記貯湯タンク内の湯水を加熱する加熱手段と、機器の運転状態を表示する表示部および操作部を有するリモコン装置とを備え、前記リモコン装置に前記貯湯タンクからの出湯を許可する給湯入切操作部を設けたことを特徴とする貯湯式給湯機。
【請求項２】
前記貯湯タンクから出湯する出湯配管と、給水源から市水を供給する給水分岐配管と、前記給湯配管と前記給水分岐配管とを接続し所望の湯温の湯水を生成する混合手段とを備え、前記給湯入切操作部を操作することで、前記混合手段を駆動し水側全開にすることを特徴とする請求項１記載の貯湯式給湯機。
【請求項３】
前記貯湯タンクから出湯する出湯配管と、給水源から市水を供給する給水分岐配管と、前記給湯配管と前記給水分岐配管とを接続し適温の湯を生成する混合手段と、前記混合手段から給湯端末への湯水の供給を遮断する遮断手段とを備え、前記給湯入切操作部を操作することで、前記遮断手段で湯水の供給を遮断することを特徴とする請求項１に記載の貯湯式給湯機。
【請求項４】
前記給湯入切操作部は、前記リモコン装置の入切スイッチとは独立したことを特徴とする請求項１から３のいずれか１項に記載の貯湯式給湯機。
【請求項５】
浴室に貯湯式給湯機の操作を行う浴室リモコン装置と、前記浴室リモコン装置に前記貯湯タンクからの出湯を許可する風呂側給湯入切操作部とを備え、前記風呂側給湯入切操作部を操作して前記貯湯タンクからの出湯を禁止している際においても、浴室外に設けた前記リモコン装置の給湯入切操作部を操作して前記貯湯タンクからの出湯要求がある場合には、前記リモコン装置で設定した設定温度の湯を給湯端末へ供給するように前記混合手段の開度を変更することを特徴とする請求項１から４のいずれか１項に記載の貯湯式給湯機。
【請求項６】
前記給湯入切操作部を操作することにより、前記リモコン装置および／または前記浴室リモコン装置の表示部に貯湯タンクからの出湯を停止していることを表示することを特徴とする請求項１から５のいずれか１項に記載の貯湯式給湯機。
【発明の詳細な説明】
【技術分野】
【０００１】
本発明は、給湯端末へ湯水を供給する混合弁を有した貯湯式給湯機に関するものである。
【背景技術】
【０００２】
図７は、従来の貯湯式給湯機の構成図である。図７において、従来の貯湯式給湯機は、加熱源であるヒートポンプユニット１０１と、湯水を貯える貯湯タンク１０３を有するタンクユニット１０２で構成されている（例えば、特許文献１参照）。まず、ヒートポンプユニット１０１について説明する。
【０００３】
ヒートポンプユニット１０１は、冷媒を圧縮し高温高圧冷媒にする圧縮機１０４、冷媒と水とが熱交換を行い高温水を生成する冷媒水熱交換器１０５、冷媒を減圧する減圧装置１０６、大気と冷媒とが熱交換を行い冷媒が大気から吸熱を行う蒸発器１０７を、順次冷媒配管１０８にて環状に接続して構成されるヒートポンプ回路を有している。冷媒には二酸化炭素が用いられ、圧縮機１０４で圧縮された後の冷媒は超臨界圧力を超える状態となり、図６に矢印で示すように冷媒配管内を循環している。
【０００４】
次に、タンクユニット１０２について説明する。タンクユニット１０２は、湯水を貯える貯湯タンク１０３を有し、貯湯タンク１０３の底部からヒートポンプユニット１０１内の冷媒水熱交換器１０５に低温水を搬送するための循環ポンプ１１０が設けられており、循環ポンプ１１０を駆動させることによって、貯湯タンク１０３の底部から冷媒水熱交換器１０５へ低温水が搬送される。
【０００５】
また、冷媒水熱交換器１０５で生成された高温水は、水流路を切り替える三方弁１１１によって貯湯タンク１０３の上下へ送られる。冷媒水熱交換器１０５で生成される温水の温度が所定温度未満の場合には、三方弁１１１は貯湯タンク１０３の底部と連通する方向に切り替えられ、下部給湯配管１１２を経て貯湯タンク１０３の底部へ湯水が送られる。しかしながら、冷媒水熱交換器１０５で生成される温水の温度が所定温度以上の場合には、三方弁１１１は貯湯タンク１０３の上部と連通する方向に切り替えられ、上部給湯配管１１３を経て貯湯タンク１０３の上部へ湯水が送られる。
【０００６】
また、貯湯タンク１０３の下部に設けた給水口１１４には、給水源から水を供給するための給水配管１１５が接続され、貯湯タンク１０３の上部に設けた出湯口１１６には、給湯端末へ高温水を供給するための出湯配管１１７が接続されている。そして給水口１１４には給水源からの水圧が常時掛かっている状態となり、出湯配管１１７から高温水が出湯されるに伴って、給水口１１４から水が供給される構成となっている。
【０００７】
また、給水配管１１５から分岐した給水分岐配管１１８が設けられており、出湯配管１１７と給水分岐配管１１８とは混合手段である電動式混合弁１１９に接続され、使用者がリモコン１３０で設定した温度が給湯端末１２２へ出湯するように、電動式混合弁１１９にて湯水が混合され給湯端末１２２へ送られる構成になっている。そして電動式混合弁１１９の下流側には、温度検知手段であるサーミスタ１２０が配設されており、サーミスタ１２０で検知する温度が、使用者が設定した設定温度となるように電動式混合弁１１９の開度が変更される。また電動式混合弁１１９の下流側には、流量を検知する流量検知装置１２１が設けられており、給湯端末へ送られる湯水の流量を検出している。
【０００８】
また、給湯端末１２２には、電動式混合弁１１９から湯を供給する湯供給配管１２８と
、給水源から水を供給する水供給配管１２９が接続されており、使用者が給湯端末１２２にて実際に温度を見ながらさらに湯水を混合できる構成となっている。
【０００９】
図８は、従来の貯湯式給湯機を操作するリモコン１３０の構成図である。図８に示すように、リモコン１３０は、給湯機の各種設定を行う操作部１３１と、給湯機の情報を表示する表示部１３２を有しており、使用者は操作部１３１を操作して電動式混合弁１１９にて混合する温度を設定する（例えば、特許文献２参照）。
【００１０】
また、給湯端末１２２には様々な端末形態があるが、給湯端末１２２がシングルレバー構成の混合栓が近年ではよく使用されている（例えば、特許文献３参照）。図８はシングルレバー構成の混合栓の構成図であり、給湯端末１２２は、湯水の温度調節を行う操作レバー１２３と、湯水が出湯する出湯口１２４を有している。ちなみに図９（ａ）は、給湯端末１２２の斜視図、図９（ｂ）は、給湯端末１２２の操作レバー１２３の上面図である。
【００１１】
給湯端末１２２には、リモコン１３０で設定した温度の湯が供給されるが、実際に湯の温度を見ながら温度調節が可能なように、給湯端末１２２には水供給配管１２９が接続されて水が供給される構成になっている。そのため、使用者は操作レバー１２３を左右に駆動することで、湯水の温度調節が可能になっている。
【００１２】
シングルレバー構成の給湯端末１２２の場合は、使用者が操作レバー１２３を上下に操作することで、出湯口１２４から湯水の出湯／停止を行い、操作レバー１２３を左右に操作することで、出湯口１２４から出てくる湯水の温度を調節することができる。つまり、操作レバー１２３を水側全開に回しておけば出湯口１２４からは水しか出てこないし、湯側全開に回しておけば出湯口１２４からはリモコン１３０で設定した温度の湯しか出てこない構成となっている。
【特許文献１】特開２００５−１８８７６３号公報
【特許文献２】特開２００３−１８５２４８号公報
【特許文献３】実開平４−１１４１８２号公報
【発明の開示】
【発明が解決しようとする課題】
【００１３】
しかしながら、貯湯式給湯機の場合、貯湯タンク内に常時高温湯が貯えられる構成になっており、一定期間給湯機を使用しない場合に貯湯タンク内の湯水を抜かない限り、使用者が給湯端末１２２から湯水を出せば、貯湯タンク内の高温湯が給湯端末１２２へ供給される構成になっている。
【００１４】
そのため、使用者が給湯端末から湯水を出す場合、使用者自身は「水」で良いにも関わらず、給湯端末が上述したようなシングルレバー構成の場合には、操作部が少しでも湯側に向いていると、貯湯タンク内の湯が出湯管１１７を通って、給湯端末１２２へ供給されてしまう。
【００１５】
さらに貯湯式の給湯機ゆえに、高温湯が入っている貯湯タンクの容量が決まっており、無駄な出湯が継続すると、貯湯タンクの湯切れの原因となってしまい、電気代の高い昼間に追加で沸き上げ運転を行わなければならなくなってしまうという課題を有していた。
【００１６】
本発明は、前記従来の課題を解決するもので、使用者へ貯湯タンク内の湯を使用していることを認識させ、貯湯タンクから不必要な湯の出湯が低減可能な貯湯式給湯機を提供することを目的とする。
【課題を解決するための手段】
【００１７】
前記従来の課題を解決するために、本発明の貯湯式給湯機は、湯水を貯える貯湯タンクと、前記貯湯タンク内の湯水を加熱する加熱手段と、機器の運転状態を表示する表示部および操作部を有するリモコン装置とを備え、前記リモコン装置に前記貯湯タンクからの出湯を許可する給湯入切操作部を設けたことにより、貯湯タンクからの出湯自体を停止することができ、不必要な時には高温湯の出湯を無くし、ひいては貯湯タンク内の湯切れの発生を抑制することができる。
【発明の効果】
【００１８】
本発明は、使用者へ貯湯タンク内の湯を使用していることを認識させ、貯湯タンクから不必要な湯の出湯が低減可能な貯湯式給湯機を提供することができる。
【発明を実施するための最良の形態】
【００１９】
第１の発明の貯湯式給湯機は、湯水を貯える貯湯タンクと、前記貯湯タンク内の湯水を加熱する加熱手段と、機器の運転状態を表示する表示部および操作部を有するリモコン装置とを備え、前記リモコン装置に前記貯湯タンクからの出湯を許可する給湯入切操作部を設けたことにより、貯湯タンクからの出湯自体を停止することができ、不必要な時には高温湯の出湯を無くし、ひいては貯湯タンク内の湯切れの発生を抑制することができる。
【００２０】
第２の発明の貯湯式給湯機は、特に第１の発明において、前記貯湯タンクから出湯する出湯配管と、給水源から市水を供給する給水分岐配管と、前記給湯配管と前記給水分岐配管とを接続し所望の湯温の湯水を生成する混合手段とを備え、前記給湯入切操作部を操作することにより、前記混合手段を駆動し水側全開にすることで、従来からの貯湯式給湯機の構成要素にある部品を使用して機能を実現することで、大掛かりな設計変更をすることなく、簡単な構成で貯湯タンクから、水および、湯の出湯を切り替えることができる。
【００２１】
第３の発明の貯湯式給湯機は、特に第１の発明において、前記貯湯タンクから出湯する出湯配管と、給水源から市水を供給する給水分岐配管と、前記給湯配管と前記給水分岐配管とを接続し適温の湯を生成する混合手段と、前記混合手段から給湯端末への湯水の供給を遮断する遮断手段とを備え、前記給湯入切操作部を操作することにより、前記遮断手段で湯水の供給を遮断することで、簡単な構成で貯湯タンクからの湯の流出を確実になくすことができ、かつ水および、湯の出湯を簡単な操作で切り替えることができる。
【００２２】
第４の発明の貯湯式給湯機は、特に第１から第３の発明において、前記給湯入切操作部は、前記リモコン装置の入切スイッチとは独立したことにより、リモコン装置の表示の入切スイッチとは独立したスイッチを操作するだけで、湯を使用したくないときに出湯を停止させることができ、さらに従来の貯湯式のリモコンの使い勝手を崩すことなく、お湯の出湯が不必要な場合のみ、専用スイッチにて、不必要な高温湯の出湯を無くし、ひいては貯湯タンク内の湯切れの発生を抑制することができる。
【００２３】
第５の発明の貯湯式給湯機は、特に第１から第４の発明において、浴室に貯湯式給湯機の操作を行う浴室リモコン装置と、前記浴室リモコン装置に前記貯湯タンクからの出湯を許可する風呂側給湯入切操作部とを備え、前記風呂側給湯入切操作部を操作して前記貯湯タンクからの出湯を禁止している際においても、浴室外に設けた前記リモコン装置の給湯入切操作部を操作して前記貯湯タンクからの出湯要求がある場合には、前記リモコン装置で設定した設定温度の湯を給湯端末へ供給するように前記混合手段の開度を変更することにより、浴室側のリモコン装置にて貯湯タンクからの高温湯の出湯を禁止していても、浴室外に設けられているリモコン装置から貯湯タンクからの出湯要求があれば、設定温度となるように混合手段の開度を駆動して、給湯端末へ所望の温度の湯水を供給することができる。
【００２４】
第６の発明の貯湯式給湯機は、特に第１から第５の発明において、前記給湯入切操作部を操作することにより、リモコン装置および／または浴室リモコンの表示部に貯湯タンクからの出湯を停止していることを表示することで、リモコン装置の表示部が「水」または「給湯停止」などの情報によって使用者への認識を促すことができ、現在水が出るのか、湯が出るのかを表示部で一目で認識することができる。
【００２５】
以下、本発明の実施の形態について、図面を参照しながら説明する。なお、この実施の形態によって本発明が限定されるものではない。
【００２６】
（実施の形態１）
図１は、本発明の実施の形態１における貯湯式給湯機の構成図である。図１において、本発明の貯湯式給湯機は、加熱手段であるヒートポンプユニット１と、湯水を貯える貯湯タンク３を有するタンクユニット２で構成されている。まず、ヒートポンプユニット１について説明する。なお、本実施の形態では加熱手段としてヒートポンプを用いて説明するが、ヒートポンプに限定されることはなく、ヒートポンプに代えて電気ヒータを用いて湯水を加熱する構成であっても問題は無い。
【００２７】
本実施の形態の加熱手段であるヒートポンプユニット１は、冷媒を圧縮し高温高圧冷媒にする圧縮機４、冷媒と水とが熱交換を行い高温水を生成する冷媒水熱交換器５、冷媒を減圧する減圧装置６、大気と冷媒とが熱交換を行い冷媒が大気から吸熱を行う蒸発器７を、順次冷媒配管８にて環状に接続して構成されるヒートポンプ回路を有している。冷媒には二酸化炭素が用いられ、圧縮機４で圧縮された後の冷媒は超臨界圧力を超える状態となり、図１に矢印で示すように冷媒配管内を循環している。なお、冷媒は二酸化炭素に限定されることはなく、Ｒ４１０Ａ等のフロン系冷媒や、プロパン等の炭化水素系冷媒を用いたとしても問題はない。
【００２８】
次に、タンクユニット２について説明する。タンクユニット２は、湯水を貯える貯湯タンク３を有し、貯湯タンク３の壁面には複数の残湯温度検出手段であるサーミスタ５０ａ〜５０ｅまでが取り付けられており、それぞれのサーミスタが検出する温度に基づいて、貯湯タンク３内にどれくらいの湯があるかを検出している。基本的には、夜間時間帯（２３時〜翌７時）の電気料金が安い時間帯に貯湯タンク３内の湯が沸き上げられるが、サーミスタ５０ａ〜５０ｅによって検出される温度に基づいて、貯湯タンク３内の残湯が少なくなってきたと判断すると、昼間時間帯であったとしてもヒートポンプユニット１で沸き増しをして、貯湯タンク３内に高温湯が貯えることで、昼間時間帯の湯切れを防止している。
【００２９】
また、貯湯タンク３の底部からヒートポンプユニット１内の冷媒水熱交換器５に低温水を搬送するための循環ポンプ１０が設けられており、循環ポンプ１０を駆動させることによって、貯湯タンク３の底部から冷媒水熱交換器５へ低温水が搬送される。
【００３０】
また、冷媒水熱交換器５で生成された高温水は、水流路を切り替える三方弁１１によって貯湯タンク３の上下へ送られる。冷媒水熱交換器５で生成される温水の温度が所定温度未満の場合には、三方弁１１は貯湯タンク３の底部と連通する方向に切り替えられ、下部給湯配管１２を経て貯湯タンク３の底部へ湯水が送られる。しかしながら、冷媒水熱交換器５で生成される温水の温度が所定温度以上の場合には、三方弁１１は貯湯タンク３の上部と連通する方向に切り替えられ、上部給湯配管１３を経て貯湯タンク３の上部へ湯水が送られる。
【００３１】
また、貯湯タンク３の下部に設けた給水口１４には、給水源から水を供給するための給
水配管１５が接続され、貯湯タンク３の上部に設けた出湯口１６には、給湯端末へ高温水を供給するための出湯配管１７が接続されている。そして給水口１４には給水源からの水圧が常時掛かっている状態となり、出湯配管１７から高温水が出湯されるに伴って、給水口１４から水が供給される構成となっている。
【００３２】
また、給水配管１５から分岐した給水分岐配管１８が設けられており、出湯配管１７と給水分岐配管１８とは混合手段である電動式混合弁１９に接続され、使用者がリモコン装置３０で設定した温度が給湯端末２２へ出湯するように、電動式混合弁１９にて湯水が混合され給湯端末２２へ送られる構成になっている。そして電動式混合弁１９の下流側には、温度検知手段であるサーミスタ２０が配設されており、サーミスタ２０で検知する温度が、使用者が設定した設定温度となるように電動式混合弁１９の開度が変更される。また電動式混合弁１９の下流側には、流量を検知する第１の流量検出手段である流量検知装置２１が設けられており、給湯端末へ送られる湯水の流量を検出している。
【００３３】
また、給湯端末２２には、電動式混合弁１９から湯を供給する湯供給配管２８と、給水源から水を供給する水供給配管２９が接続されており、使用者が給湯端末２２にて実際に温度を見ながらさらに湯水を混合できる構成となっている。
【００３４】
図２は、本発明の貯湯式給湯機を操作するリモコン装置３０の構成図である。図２に示すように、リモコン装置３０は、給湯機の各種設定を行う操作部３１と、給湯機の情報を表示し蛍光管や液晶等で構成される表示部３２を有しており、使用者は複数のボタン群で構成される操作部３１を操作して電動式混合弁１９にて混合する温度を設定したり、風呂の湯張り温度を設定することが可能となっている。また必要に応じて貯湯式給湯機の各設定内容を変更することも可能となっている。
【００３５】
以上のように構成された貯湯式給湯機について、使用者が給湯端末２２から湯水を出した時の貯湯式給湯機の動作について説明する。
【００３６】
まず使用者は、リモコン装置３０の操作部３１を操作し、給湯端末２２へ供給する湯の温度を設定する。この時、使用者はリモコン装置３０の表示部３２に表示される給湯温度を見ながら操作部３１を操作して、給湯温度を設定する。例えば、図２には給湯温度が４１度となるように設定されている様子を表している。
【００３７】
そして、使用者が給湯端末２２から湯水を出すと、電動式混合弁１９が駆動して、サーミスタ２０で検知される温度が、リモコン装置３０に表示されている設定温度となるようにフィードバック制御され、電動式混合弁１９の湯側開度が決定される。そして給湯端末２２へは電動式混合弁１９で混合された湯水（すなわち、リモコン装置３０で設定した温度の湯水）が供給される。さらに使用者は、給湯端末２２においても湯と水とを混合できるようになっており、使用者が実際に湯水に触れながら適温の湯に混合することができる。
【００３８】
このような貯湯式給湯機において、例えば、図８に示すようなシングルレバーの混合栓が給湯端末２２に採用されていたとする。そして使用者が「水のみ」を給湯端末２２から出したい時には、図８（ｂ）に示す操作レバー１２３を水側全開に回せば、貯湯タンク３からの湯水の出湯は停止され、給湯端末２２からは水供給配管２９を通って供給される水のみが出ることになる。
【００３９】
しかしながら、使用者によっては「水のみ」を出したいと思っても、前回使った操作レバー１２３の位置のまま、給湯端末２２から湯水を出湯させる場合も多く、わざわざ操作レバー１２３を水側全開に回すことなく使用する場合がある。そしてその結果、操作レバ
ー１２３が少しでも湯側に回っていれば、貯湯タンク３からの湯水の出湯は継続されることになり、「水のみ」を給湯端末２２から出せればいいと思っているにもかかわらず、貯湯タンク３から高温湯を無意識に使ってしまっていることになる。
【００４０】
そこで本発明では、リモコン装置３０に給湯入切操作部３３を設けることにより、使用者がお湯を使用したくないときに、リモコン装置３０に設けた給湯入切操作部３３を操作することにより、貯湯タンク３からの出湯を停止する構成としている。
【００４１】
次に、給湯入切操作部の操作方法の具体的な方法について説明する。本発明では、使用者がリモコン装置３０の給湯入切操作部３３の操作を行い、給湯を切に設定した場合、給湯湯水混合弁１９の開度を水側全開に移動させることにより、給湯端末２２のシングルレバーの位置を気にせずに、開閉しても、従来の貯湯式給湯機の構成と同じままで、貯湯タンク３の湯を消費することがなくなる。
【００４２】
その結果、貯湯タンク３内からの不必要な高温湯の出湯を無くし、ひいては貯湯タンク３内の湯切れの発生を抑制することができ、また貯湯式給湯機の構成要素にある給湯湯水混合弁１９を使用することで、大掛かりな設計変更をすることなく、簡単な構成で貯湯タンクから、水および、湯の出湯を切り替えることができる。
【００４３】
また、図２に示すように、リモコン装置３０の給湯入切操作部３３は、リモコン装置３０の表示部の入切を行う入切スイッチ３４とは独立したスイッチの操作としている。使用者がお湯を使用したくないときに貯湯タンクから湯を出湯させることを操作することができるため、従来の貯湯式給湯機のリモコンの使い勝手を崩すことなく、お湯の出湯が不必要な場合のみ、専用スイッチにて、不必要な高温湯の出湯を無くし、ひいては貯湯タンク内の湯切れの発生を抑制することができる。
【００４４】
従来の燃焼機器等のリモコン装置では、リモコン装置の入切スイッチ３４で、お湯が出るのか、水が出るのかを制御していた。これは熱源をＯＮ／ＯＦＦするためにリモコン装置の入切スイッチと、高温出湯のＯＮ／ＯＦＦするための入切スイッチとを一緒にした方が、使用性が良かったが、貯湯式給湯機では、常時高温の湯を貯えているため、現在何が出湯されているのか、何度の湯が出湯されているのかを表示しておく必要がある。そのため、本発明のように、リモコン装置３０の入切操作部３４とは独立したスイッチとすることにより、使用性を損なうことがなくなる。
【００４５】
また、図３は高温出湯を停止中のリモコンの状態図である。図３に示すように、本発明の貯湯式給湯機は、給湯入切操作部３３を操作することにより、リモコン装置の表示部３２が「水」または「給湯停止」に変わることにより使用者への認識を促すことができる。そのため使用者は、現在「水が出るのか」、「湯が出るのか」を表示部で一目で認識することができる。もちろん表示部３２に表示する内容は、使用者に高温湯が出ないことを示す内容の表示であればよく、「水」または「給湯停止」はどちらの表示でもかまわない。
【００４６】
（実施の形態２）
図４は、本発明の実施の形態２における貯湯式給湯機の構成図である。本実施の形態における貯湯式給湯機の構成において、実施の形態１における構成と同じ部位については、実施の形態１と同じ番号を付して説明を省略する。実施の形態１との違いは、湯供給配管２８内に遮断手段である出湯遮断弁４１を設けた点が異なる。
【００４７】
実施の形態２において、使用者が貯湯タンク３からの高温湯の出湯を停止する場合には、使用者がリモコン装置３０の給湯入切操作部３３の操作を行い、給湯を切に設定した場合、湯供給配管２８内に出湯遮断弁４１を閉じることにより、給湯端末２２のシングルレ
バーの位置を気にせずに、開閉しても貯湯タンク３からお湯が流れることなく、貯湯タンク３の湯を消費することがない。
【００４８】
このように、貯湯タンク３内からの不必要な高温湯の出湯を無くし、ひいては貯湯タンク３内の湯切れの発生を抑制することができ、簡単な構成で貯湯タンクからの湯の流出をなくすことができ、かつ水および、湯の出湯を簡単な操作で切り替えることができる。
【００４９】
（実施の形態３）
図５は、本発明の実施の形態３における貯湯式給湯機の構成図である。本実施の形態における貯湯式給湯機の構成において、実施の形態１、２における構成と同じ部位については、実施の形態１、２と同じ番号を付して説明を省略する。実施の形態１、２との違いは、風呂回路を設けた点である。
【００５０】
図５に示すように、本実施の形態３における貯湯式給湯機は、出湯配管１７から分岐して風呂出湯配管１５１が設けられており、また、給水分岐配管１８から分岐して風呂給水分岐配管１５０が設けられている。そして風呂出湯配管１５１と風呂給水分岐配管１５０とを接続する混合手段である風呂湯水混合弁６０が設けられており、風呂湯水混合弁６０で混合された湯水を浴槽６１へ供給可能に構成している。
【００５１】
さらに、風呂湯水混合弁６０と浴槽６１との間に、風呂湯水混合弁６０の下流側には風呂湯水混合弁６０を制御するための風呂供給温度検知手段であるサーミスタ６２、および風呂湯水混合弁６０で混合した湯水を浴槽６１へ注湯するための遮断手段である風呂閉止弁６３を備えている。また、浴室内にも給湯機の操作が可能な浴室リモコン装置７０を設けている。
【００５２】
図６は、浴室に設けられた浴室リモコン装置７０の構成図である。図６に示すように、浴室リモコン装置７０は、給湯機の操作を行う操作部７１、および給湯機の情報や現在の運転状況を表示する表示部７２を有している。また、給湯端末への貯湯タンク３の高温湯の供給を停止するための風呂側給湯入切操作部７３を設けている。そしてこの風呂側給湯入切操作部７３を操作すると、リモコン装置３０に設けた給湯入切操作部３３を操作した時と同様に、電動式混合弁１９の開度が水側全開となり、貯湯タンク３からの高温湯の出湯を禁止する。その結果、貯湯タンク３内からの高温湯の出湯がなくなり、不必要な時には確実に貯湯タンク３からの出湯を停止するため、湯切れ防止に繋がる。
【００５３】
このように構成された貯湯式給湯機において、以下、リモコン装置３０と浴室リモコン装置７０との連携について説明する。
【００５４】
使用者が浴室の蛇口（給湯端末７５）から水だけでいいと判断すると、浴室リモコン装置７０に設けられている風呂側給湯入切操作部７３を押下することによって、電動式混合弁１９の開度が水側全開に駆動する。その結果、浴室にいる人が風呂側給湯入切操作部７３を操作して貯湯タンク３からの出湯を停止しているので、台所にいる人が、台所に設けている蛇口（給湯端末２２）をひねったとしても貯湯タンク３から高温湯の供給はされず、台所の蛇口からは水しかでない。
【００５５】
しかしながら、浴室にいる人が湯はいらないと判断しても、台所にいる人が湯が必要だと感じる時があり、上述した構成であれば、台所からは水しか出ず非常に使用性が悪いものとなる。
【００５６】
そこで、本実施の形態３では、浴室リモコン装置７０で貯湯タンク３からの高温湯の出湯を停止したとしても、浴室外に設けられているリモコン装置３０で給湯入切操作部３３
を操作すると、リモコン装置３０で設定した設定温度となるように、電動式混合弁１９の開度が駆動する。その結果、たとえ浴室で貯湯タンク３からの高温湯の出湯を禁止しても、台所で湯を使用したいときには、貯湯タンク３から高温湯を出湯することができ、非常に使用性が高くなる。
【００５７】
本実施の形態では、浴室で高温湯の使用を禁止し、台所で高温湯を使用したいときに解除できることを説明したが、逆に台所で高温湯の使用を禁止し、浴室で高温湯を使用したい時においても、本実施の形態同様、解除できることは言うまでもない。
【００５８】
また、実施の形態１と同様に、図６に示すように、本発明の貯湯式給湯機は、給湯入切操作部７３を操作することにより、リモコン装置の表示部７２が「水」または「給湯停止」に変わることにより使用者への認識を促すことができる。そのため使用者は、現在「水が出るのか」、「湯が出るのか」を表示部で一目で認識することができる。
【００５９】
また、図５には図示していないが、浴槽６１内の湯水の追い焚き運転を自動で行う構成にした場合、風呂追い焚きの自動運転中は、給湯入切操作部３３および風呂側給湯入切操作部７３の操作を受け付けないようにしてもよい。つまり、浴槽６１内の湯水の追い焚き運転を自動で行う設定にしている場合には、使用者が入浴する可能性が高いため、使用者が貯湯タンク３からの出湯を禁止されていることを知らないまま、入浴するといつまで経っても高温湯が出湯されず、非常に使用性が悪くなってしまうので、追い焚きの自動運転中は、給湯入切操作部３３および風呂側給湯入切操作部７３からの操作を受け付けないようにすることで、確実に浴室の蛇口には湯を供給するようにして、使用性を向上させている。
【産業上の利用可能性】
【００６０】
以上のように、本発明に係る貯湯式給湯機は、ヒートポンプサイクルと給湯サイクルが一体に構成された一体型ヒートポンプ式給湯機、別体に構成された分離型ヒートポンプ式給湯機、給湯用熱交換器で加熱したお湯をそのまま出湯できる直接出湯型ヒートポンプ式給湯機などの各種ヒートポンプ給湯機、さらには熱源に電気ヒータを用いる電気温水器にも適用できる。
【図面の簡単な説明】
【００６１】
【図１】本発明の実施の形態１における貯湯式給湯機の構成図
【図２】同実施の形態１におけるリモコン装置３０の構成図
【図３】同実施の形態１におけるリモコン装置３０の状態図
【図４】本発明の実施の形態２における貯湯式給湯機の構成図
【図５】本発明の実施の形態３における貯湯式給湯機の構成図
【図６】同実施の形態３における浴室リモコン装置７０の構成図
【図７】従来の貯湯式給湯機の構成図
【図８】従来のリモコン装置の構成図
【図９】（ａ）従来の給湯端末の斜視図（ｂ）従来の給湯端末の要部上面図
【符号の説明】
【００６２】
１  ヒートポンプユニット
２  タンクユニット
３  貯湯タンク
１１  三方弁
１２  下部給湯配管
１３  上部給湯配管
１４  給水口
１５  給水配管
１６  出湯口
１７  出湯配管
１８  給水分岐配管
１９  電動式混合弁
２０  サーミスタ
２１  流量検知装置
２２  給湯端末
３０  リモコン装置
３１  操作部
３２  表示部
５０ａ〜５０ｅ  サーミスタ（残湯温度検出手段）
【図１】
2010101549.tif 000003
【図４】
2010101549.tif 000004
【図５】
2010101549.tif 000005
【図７】
2010101549.tif 000006
【図２】
2010101549.tif 000007
【図３】
2010101549.tif 000008
【図６】
2010101549.tif 000009
【図８】
2010101549.tif 000010
【図９】
2010101549.tif 000011